(57)【要約】【課題】簡略かつ小型軽量な構造で、両端において任意の方向で電線を把持することができ、絶縁体で形成可能な構造で活線作業に適応可能な電線把持具を提供することを目的としている。【解決手段】上記課題を解決するために、本発明にかかる電線把持具の代表的な構成は、絶縁体からなる主軸１０２と、主軸１０２の両端に設けられた絶縁体からなる２つのクランプ１０６とを備え、２つのクランプ１０６は、いずれも２軸ヒンジ１０４によって主軸１０２に接続されていることを特徴とする。【選択図】図１
2008167591.tif 000002
【特許請求の範囲】
【請求項１】
絶縁体からなる主軸と、
主軸の両端に設けられた絶縁体からなる２つのクランプとを備え、
前記２つのクランプは、いずれも２軸ヒンジによって前記主軸に接続されていることを特徴とする電線把持具。
【請求項２】
前記主軸には、該主軸を設置固定するための磁石を備えたことを特徴とする請求項１記載の電線把持具。
【請求項３】
複数の前記磁石を備え、前記複数の磁石は少なくとも一つが回動可能に軸支され、前記回動の軸は、前記複数の磁石の配列方向と直交する方向に配置されていることを特徴とする請求項２記載の電線把持具。
【請求項４】
前記主軸には、該主軸を掛止するための鉤状の掛止部材を備えたことを特徴とする請求項１記載の電線把持具。
【請求項５】
前記主軸には、落下を防止するためのフックが取り付けられていることを特徴とする請求項１記載の電線把持具。
【発明の詳細な説明】
【技術分野】
【０００１】
本発明は、その両端において２本の電線または電線の２箇所を把持するための電線把持具に関する。
【背景技術】
【０００２】
電柱の上の装柱や架線に対して作業する場合、作業スペースがないことによる人員の制限や、高所作業であることの足場の不自由さ、活線を取り扱う場合の絶縁対策などにより、様々な作業上の課題がある。その一つとして、電線の接続・切断作業が挙げられる。
【０００３】
例えば近年、柱上変圧器の２次側（低圧側）は、コストダウンを図るために開閉器（スイッチ回路）を設けておらず、活線状態（通電した状態）で接続・切断作業を行う。変圧器の二次側からは口出し線（電線と接続する接続線）が引き出されており、例えば立ち上がりケーブル（柱上変圧器の位置からから電柱上部へと配線された電線ケーブル）と羽子板端子を用いてボルト固定したり、スリーブによって圧縮接続したりする。
【０００４】
ところが口出し線とケーブルとを接続・切断する作業では、手が足りないという問題がある。接続作業においては２本の電線の末端を合わせた上でスリーブの圧縮や端部のボルト締めを行うのであるが、２本の電線を固定するために２点、工具の操作で１点または２点の支持点が必要である。従って、締め付け作業に移るときに電線から手を離す必要があり、電線が不安定になりやすくなってしまう。このため電線がスリーブからずれて圧縮不良となりやすく、接続不良の原因となったり、電線が抜け落ちて短絡の原因となったりするおそれがある。
【０００５】
また切断作業においても同様に、カッターの操作で２点、切断後の電線を固定するために２点の支持点が必要である。しかし手が足りないために、大型カッターを手と脇の下で操作したり、切断しても落下しない口出し線は支持を省略したりしている。すると切断された口出し線の末端が跳ね上がって作業者に衝突したり、切断された電線も切断によって急激に荷重がかかるために取り落としたりしやすいといったように、作業性に劣る。
【０００６】
上記のように、電柱の上の高所作業においては、電線端末が不安定になることから様々な問題が生じている。上記の問題は、作業に従事する作業員の補助があれば、その手を借りることで解決する。しかし、狭い電柱の上に複数人が登ると却って不自由も多いこと、および作業コストの観点から、作業員を増員することは難しい。現在はバインド線（芯線を被覆した線）を用いてスリーブが抜けないように仮止めする場合もあるが、作業が繁雑で時間がかかるわりに確実性が低く、作業性を考慮した電線の固定手段が要請されている。
【０００７】
従来からも、電線の接続または切断に際して、２本の電線または電線の２箇所を把持するための電線把持具が提案されている。特開２００２−０２７６２４（特許文献１）には、伸縮器（主軸）の両端に掴線器（バイスに似た機構）をチェーン接続し、掴線器によって被覆架線の２箇所を掴持した状態で切断作業を行う構成が記載されている。特許文献１によれば、被覆架線の掴線器によって掴持される部分の皮剥ぎ作業を不要としながら、被覆架線等の落下を確実に防止することができるとしている。
【特許文献１】特開２００２−０２７６２４号公報
【発明の開示】
【発明が解決しようとする課題】
【０００８】
しかし特許文献１の構成にあっては装置が大がかりになって可搬性に乏しい。電線の接続・切断作業は、一設備に対して恒常的に発生するものではないことから、装柱に備え付けるものではなく、作業員が装備して電柱に登ることとなる。従って、できる限り小型かつ軽量であることが好ましい。なお、電線の接続・切断作業であれば特許文献１のように伸縮器を備えておらずとも、さらに簡略な機構で足りる。
【０００９】
また、特許文献１の構成にあっては両端で把持した電線に引張方向の力しか加えることができない。しかし作業のために電線を把持する場合は、両端位置を保持することが好ましい。さらに、電線はある程度の剛性を有しているため、特に２本の電線のそれぞれの端部を把持するとき、両端のクランプは電線の方向に倣うことができることが望ましい。
【００１０】
さらに、活線状態での作業に適応できるように絶縁体で構成することが望ましいが、金属を用いないとすれば主として樹脂を用いることになる。このため、採用できる機構に制限がある。
【００１１】
さらに、電柱の上での作業に用いることを想定すれば、作業の安定性や、高所作業への配慮もすべきである。すなわち、電柱の上において作業員は移動もままならないものであるから、安定した姿勢で作業を行えることが望ましい。また電線ケーブルおよび電線把持具自体の落下も防止することが望ましい。
【００１２】
そこで本発明は、簡略かつ小型軽量な構造で、両端において任意の方向で電線を把持することができ、絶縁体で形成可能な構造で活線作業に適応可能な電線把持具を提供することを目的としている。さらに、他の装柱に固定して作業の安定性を図り、落下を防止して高所作業に適した電線把持具を提供することを目的としている。
【課題を解決するための手段】
【００１３】
上記課題を解決するために、本発明にかかる電線把持具の代表的な構成は、絶縁体からなる主軸と、主軸の両端に設けられた絶縁体からなる２つのクランプとを備え、２つのクランプは、いずれも２軸ヒンジによって主軸に接続されていることを特徴とする。なお、２軸ヒンジとは直交する２方向に回動可能に構成されたヒンジである。
【００１４】
上記構成によれば、簡略かつ小型軽量な構造で、両端において任意の方向で電線を把持することができる。また主軸、２軸ヒンジおよびクランプは、バネ機構や極端に荷重のかかる部位を有しないため、樹脂にて成型可能である。従って、絶縁体で形成可能な構造で活線作業に適応可能な電線把持具を提供することができる。
【００１５】
主軸には、該主軸を設置固定するための磁石を備えていることが好ましい。すなわち、磁石によって当該把持具を装柱に固定することにより、電線や口出し線を固定することができる。従って作業者は楽な姿勢で接続・切断作業を行うことができ、作業の安定性を向上させることができる。
【００１６】
複数の磁石を備え、複数の磁石は少なくとも一つが回動可能に軸支され、回動の軸は、複数の磁石の配列方向と直交する方向に配置されていることが好ましい。これにより概略円筒形の変圧器など曲面を有する装柱にも固定することができる。なお複数の磁石の一方を回動可能とすることで足りるが、両方の磁石を回動可能とすることで、より柔軟な取り付け位置を選択することが可能である。
【００１７】
主軸には、該主軸を掛止するための鉤状の掛止部材を備えることが好ましい。これにより、変圧器の取り付けバンドや腕金などに当該把持具を固定することができる。
【００１８】
主軸には、落下を防止するためのフックが取り付けられていることが好ましい。フックは、主軸に固定されていてもよいし、ワイヤなどによって接続されていてもよい。作業にあたって予めフックを装柱や足場に掛けておくことにより、万一の場合の落下を防止することができる。従って高所作業に適した電線把持具とすることができる。
【発明の効果】
【００１９】
本発明によれば、簡略かつ小型軽量な構造で、両端において任意の方向で電線を把持することができ、絶縁体で形成可能な構造で活線作業に適応可能な電線把持具を提供することができる。さらに、他の装柱に固定して作業の安定性を図り、落下を防止して高所作業に適した電線把持具を提供することができる。これにより、電柱の上などの高所での電線の接続・切断作業時の安全の確保、作業性の向上、設備品質の確保を図ることができる。
【発明を実施するための最良の形態】
【００２０】
［第１実施形態］
本発明にかかる電線把持具の第１実施形態について、図を用いて説明する。図１は第１実施形態にかかる電線把持具の構成を説明する図、図２および図３は使用態様を説明する図である。なお、以下の実施例に示す寸法、材料、その他具体的な数値などは、発明の理解を容易とするための例示に過ぎず、特に断る場合を除き、本発明を限定するものではない。
【００２１】
図１に示す電線把持具１００は、主軸１０２と、主軸１０２の両端に設けられた２つのクランプ１０６とを備え、各クランプ１０６、２軸ヒンジ１０４によって主軸１０２に接続されている。
【００２２】
主軸１０２、クランプ１０６、２軸ヒンジ１０４はいずれも絶縁体からなり、例えば樹脂材料によって成型することができる。樹脂材料としては、例えばＡＢＳ樹脂、ＡＳ樹脂、エンジニアリングプラスチック（ポリカーボネート等）を好適に用いることができる。なお各部が同一の素材である必要はなく、絶縁体を用いる限りにおいて自由に材質を選択することができる。
【００２３】
２軸ヒンジ１０４は、主軸１０２の端部に回動可能に軸支されると共に、これと直交する軸を中心にクランプ１０６を回転可能に軸支している。なお２軸ヒンジ１０４は主軸１０２に対して約１８０°程度の範囲で回動可能であるが、クランプ１０６は２軸ヒンジ１０４に対して自由に回転可能に構成されている。すなわち２軸ヒンジ１０４は、直交する２方向に回動可能に構成されている。
【００２４】
２軸ヒンジ１０４の回転軸は、摩耗のおそれがあるため、金属部材を用いることが好ましい。なお、活線作業において仮に回転軸に電線が接触したとしても、回転軸が絶縁体に埋め込まれていることから電流が流れる先がないため、短絡または感電するおそれはない。
【００２５】
クランプ１０６はネジ部１０８を備え、ネジ部１０８の先端の押圧子１０８ａとクランプ本体の顎部１０６ａとを対向させている。押圧子１０８ａおよび顎部１０６ａはそれぞれ中央部が窪んだＶ字形状をなしている。従ってネジ部１０８を回転させて締めることにより、押圧子１０８ａと顎部１０６ａとの間において、その中央部で電線を安定的に把持することができる。
【００２６】
クランプ１０６には、弾性部がなく、また先鋭部や極端に応力がかかる部分がない。このため金属部材を用いることなく、上記のように樹脂で構成することができ、絶縁性と軽量化を図ることができる。
【００２７】
上記構成によれば、簡略な構造で、両端において任意の方向で電線を把持することができる。従って全体を小型化することができ、樹脂にて成型可能であることもあいまって軽量なものにすることができる。これにより可搬性に優れ、作業員が装備して電柱を登ることに支障がない。
【００２８】
また主軸１０２、クランプ１０６、２軸ヒンジ１０４の全ての部材を絶縁体で構成することができるため、活線作業に安全に適用することができる。
【００２９】
図２は、使用態様の一例として、電柱２００の装柱としての柱上変圧器２０２の二次側２０２ａ（低圧側）の口出し線２０４と、電線２０６との接続作業の一態様を示している。口出し線２０４および電線２０６の先端には、それぞれ羽子板端子２０４ａ、２０６ａが取り付けられている。
【００３０】
接続作業にあたっては、まず口出し線２０４および電線２０６のくせを取って真っ直ぐにしてから、電線把持具１００の一方のクランプ１０６によって口出し線２０４を把持し、次に他方のクランプ１０６によって電線２０６の先端を把持する。このとき、羽子板端子２０４ａ、２０６ａが重なる程度の位置で締め付ける。すると図に示すように、手を離しても電線の間隔が固定されているため、羽子板端子２０４ａ、２０６ａは重なる位置に保持される。従って作業員は、安定した状態で両手を使って容易に端子を締結固定して接続することができ、作業性の向上、設備品質の確保を図ることができる。
【００３１】
また切断作業にあたっては、まず電線把持具１００の２つのクランプ１０６を、切断する位置を挟む位置において電線２０６を把持する。そして電線２０６を切断しても、電線２０６は電線把持具１００によって把持されていることから、落下するおそれがない。従って作業員は電線２０６を支持する必要がなく、両手を有効に用いて切断作業を行うことができる。また末端が把持されていることから、切断した末端が跳ね上がって作業員に衝突することを防止することができる。
【００３２】
図３は、使用態様の一例として、電柱２００に張架された電線２０８と、家屋への引き込み線２１０との接続作業の一態様を示している。電線２０８と引き込み線２１０とは、Ｃスリーブ２１２によって圧縮接続される。
【００３３】
接続作業にあたっては、まず電線把持具１００の一方のクランプ１０６によって電線２０８を把持し、次に他方のクランプ１０６によって引き込み線２１０の先端を把持する。すると手を離しても、引き込み線２１０の先端は電線２０８の近傍に位置することとなる。次に引き込み線２１０の先端の被覆を除去し、電線２０８のこれに対応する位置も被覆を除去する。そして露出した芯線を沿わせてＣスリーブ２１２を被せ、圧縮することにより接続作業が完了する。上記作業において、作業員は電線２０８または引き込み線２１０を保持する必要がないため、両手を使って容易に接続作業を行うことができる。
【００３４】
［第２実施形態］
本発明にかかる電線把持具の第２実施形態について説明する。図４は第２実施形態にかかる電線把持具の構成を説明する図、図５は使用態様を説明する図であって、上記第１実施形態と説明の重複する部分については同一の符号を付して説明を省略する。
【００３５】
本実施形態は、第１実施形態に示した電線把持具に加え、主軸を設置固定するための磁石を備えた構成の例である。
【００３６】
図４に示すように、電線把持具１００の主軸１０２には固定部１２０が取り付けられている。固定部１２０は、先端が二股に分かれた支持アーム１２２、支持アーム１２２の先端に回動可能に軸支された２つの磁石１２８を備えている。支持アーム１２２は、取付片１２４によって主軸１０２を挟み込み、ネジ１２６によって締め付けることによって主軸に固定されている。このように磁石１２８を設けたことにより、電線把持具１００を柱上変圧器や腕金などの装柱に固定することが可能となる。
【００３７】
なお本実施形態において２つの磁石１２８は主軸１０２に対して垂直方向に配列されており、回動可能に軸支されている。回動の軸は、複数の磁石の配列方向と直交する方向に配置されている。なお、２つの磁石１２８を主軸１０２と平行に配列してもよい。また２つの磁石１２８の両方を回動可能としているが、いずれか一方を回動可能とすることでもよい。ただし、両方を回動可能とすることによって、より柔軟な取り付け位置を選択することが可能である。
【００３８】
また磁石１２８の数については、１つでもよいが、１つでは回転してしまう場合があるため２つ設けることが好ましい。さらに３つ以上を設けることでもよいが、吸着させる対象が曲面である場合には全ての磁石を面に沿わせることは難しいため、やはり２つであることが好ましい。
【００３９】
さらに支持アーム１２２に設けられた穴１２２ａには、フック１３０がワイヤ１３２によって接続されている。なおフック１３０は、主軸１０２に接続されていてもよい。このフック１３０を作業にあたって予め装柱や足場に掛けておくことにより、電線把持具１００が万一にも落下することを防止することができる。
【００４０】
図５は、使用態様の一例として、電柱２００の装柱としての柱上変圧器２０２の二次側２０２ａ（低圧側）の口出し線２０４と、電線２０６との接続作業の一態様を示している。
【００４１】
接続作業にあたっては、まず電線把持具１００の磁石１２８を柱上変圧器２０２の側面に吸着させる。２つの磁石１２８は互いに平行な軸を中心に回動可能であるため、柱状体である柱上変圧器２０２の軸方向に対して直交する方向に配置することにより、その表面に沿って磁石が配向することができ、好適に吸着させることができる。また、フック１３０を装柱や取付バンド、足場などに掛ける。
【００４２】
次に電線把持具１００の一方のクランプ１０６によって口出し線２０４を把持し、他方のクランプ１０６によって電線２０６の先端を把持する。このとき電線把持具１００が磁石１２８によって柱上変圧器２０２に固定されていることから、口出し線と電線の端部の相対的な位置のみならず、作業員に対する絶対的な位置までも固定することができる。従って作業者は楽な姿勢で接続・切断作業を行うことができるため、作業性の向上、設備品質の確保を図ることができる。また切断作業においても同様に、作業の安定性を向上させることができる。
【００４３】
また、例えば電線２０６の荷重により、磁石１２８が外れてしまう場合も考えられる。しかしフック１３０を掛けておくことにより、万一外れてしまった場合にも落下することを防止することができるため、に適した電線把持具とすることができる。
【００４４】
［第３実施形態］
本発明にかかる電線把持具の第３実施形態について図を用いて説明する。図６は第３実施形態にかかる電線把持具の構成を説明する図、図７は使用態様を説明する図であって、上記第１または第２実施形態と説明の重複する部分については同一の符号を付して説明を省略する。
【００４５】
本実施形態は、第１実施形態に示した電線把持具に加え、主軸１０２を掛止するための鉤状の掛止部材１４０を備えた構成の例である。
【００４６】
図６に示すように、掛止部材１４０は鉤状をなしており、主軸１０２と平行に延長された鉤部１４０ａを有している。掛止部材１４０の鉤部１４０ａと反対側の根元部１４０ｂは、座金１４２およびボルト１４４によって主軸１０２に取り付けられている。主軸１０２に対する掛止部材１４０の取り付け位置には特に限定はないが、鉤部１４０ａが主軸１０２の中央に向かって配置された状態で、根元部１４０ｂが主軸１０２の端部近傍に取り付けられていることが好ましい。これにより掛止部材１４０を掛けたときに、電線把持具１００は自重により吊り下がることができる。
【００４７】
図７は、使用態様の一例として、電柱２００の装柱としての柱上変圧器２０２の二次側２０２ａ（低圧側）の口出し線２０４と、電線２０６との接続作業の一態様を示している。
【００４８】
接続作業にあたっては、まず掛止部材１４０の鉤部１４０ａを、変圧器の取り付けバンドや腕金などに掛止する。すると電線把持具１００は、取り付けバンド等に吊り下がる。次に電線把持具１００の一方のクランプ１０６によって電線２０６を把持し、他方のクランプ１０６によって口出し線２０４の先端を把持する。ここで電線２０６を先に把持させるのは、電線２０６は自重により電線把持具１００を下方へと引くため、掛止が確実になるためである。
【００４９】
上記構成によれば、第２実施形態と異なり、口出し線２０４または電線２０６のクセに応じて、電線把持具１００の姿勢が傾く可能性はある。しかし作業員にとって作業しやすい位置にケーブルを固定する機能は十分に果たすため、作業性の向上、設備品質の確保を図ることができる。
【００５０】
以上、添付図面を参照しながら本発明の好適な実施例について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【産業上の利用可能性】
【００５１】
本発明は、その両端において２本の電線または電線の２箇所を把持するための電線把持具として、電柱の上などの高所作業に利用することができる。
【図面の簡単な説明】
【００５２】
【図１】第１実施形態にかかる電線把持具の構成を説明する図である。
【図２】使用態様を説明する図である。
【図３】使用態様を説明する図である。
【図４】第２実施形態にかかる電線把持具の構成を説明する図である。
【図５】使用態様を説明する図である。
【図６】第３実施形態にかかる電線把持具の構成を説明する図である。
【図７】使用態様を説明する図である。
【符号の説明】
【００５３】
１００  …電線把持具
１０２  …主軸
１０４  …２軸ヒンジ
１０６  …クランプ
１０６ａ  …顎部
１０８  …ネジ部
１０８ａ  …押圧子
１２０  …固定部
１２２  …支持アーム
１２２ａ  …穴
１２４  …取付片
１２６  …ネジ
１２８  …磁石
１３０  …フック
１３２  …ワイヤ
１４０  …掛止部材
１４０ａ  …鉤部
１４０ｂ  …根元部
１４２  …座金
１４４  …ボルト
２００  …電柱
２０２  …柱上変圧器
２０２ａ  …二次側
２０４  …口出し線
２０４ａ  …羽子板端子
２０６、２０８  …電線
２０６ａ  …羽子板端子
２１０  …引き込み線
２１２  …Ｃスリーブ
【図１】
2008167591.tif 000003
【図２】
2008167591.tif 000004
【図３】
2008167591.tif 000005
【図４】
2008167591.tif 000006
【図５】
2008167591.tif 000007
【図６】
2008167591.tif 000008
【図７】
2008167591.tif 000009